(57)【要約】【課題】最大消費電力を小さくすることができ、装置サイズを小さく、コストを低くすることができる、プリンタ装置およびプリント方法を提供する。【解決手段】制御部５は可逆性感熱記録媒体１−１に印字する印字データを基に、可逆性感熱記録媒体１−１に印字する印字率を演算する。制御部５は演算した印字率がしきい値以上であるか否か判定する。印字率がしきい値未満の場合、印字部３は可逆性感熱記録媒体１−１に印字を実施する。同時に消去部２は可逆性感熱記録媒体１−２に印字されている文字の消去を実施する。印字率がしきい値以上の場合、印字部３は可逆性感熱記録媒体１−１に印字を実施する。続いて消去部２は可逆性感熱記録媒体１−２に印字されている文字の消去を実施する。【選択図】図１
2008221558.tif 000002
【特許請求の範囲】
【請求項１】
熱を可逆性感熱記録媒体に印加することによって、前記可逆性感熱記録媒体に印字された文字の消去処理を実施する消去手段と、
熱を前記可逆性感熱記録媒体に印加することによって、前記可逆性感熱記録媒体に文字を印字する印字処理を実施する印字手段と、
前記印字処理と前記消去処理を同時に実施する同時処理と、前記印字処理と前記消去処理を順に実施する順次処理とを、印字率に応じて選択する制御手段と、
を備えたことを特徴とするプリンタ装置。
【請求項２】
熱を可逆性感熱記録媒体に印加することによって、前記可逆性感熱記録媒体に印字された文字を消去する消去ステップと、
熱を前記可逆性感熱記録媒体に印加することによって、前記可逆性感熱記録媒体に文字を印字する印字ステップと、
前記印字ステップと前記消去ステップを同時に実施する同時処理と、前記印字ステップと前記消去ステップを順に実施する順次処理とを印字率に応じて選択する制御ステップと、
を備えたことを特徴とするプリント方法。
【発明の詳細な説明】
【技術分野】
【０００１】
本発明は、可逆性感熱記録媒体に対する印字と消去を同時に実行することが可能なプリンタ装置およびプリント方法に関する。
【背景技術】
【０００２】
従来より、熱を可逆性感熱記録媒体に印加することによって、可逆性感熱記録媒体に転写された文字を消去する消去処理と、熱を可逆性感熱記録媒体に印加することによって、可逆性感熱記録媒体に文字を印字する印字処理とを同時に実行することが可能なリライタブルプリンタが知られている。
【０００３】
このようなリライタブルプリンタでは、印字率によって印字処理で必要とする電力が異なる。例えば印字率が高い印字を行う場合、印字処理では大きな電力を必要とする。
【０００４】
そこで、従来のリライタブルプリンタでは、実用上最も良く使用される印字率を考慮して、その一般的な必要電力を十分に保証できるようマージンを加えた電源を搭載している。また、特許文献１には印字率により印字速度を変更し、最大消費電力を低くすることが可能なプリンタ装置が記載されている。また、特許文献２には印字率によりオプションの電源を搭載することで、最大消費電力に応じた電力を供給することが可能なプリンタ装置が記載されている。
【特許文献１】特開平５−５３３号公報
【特許文献２】特開平８−１４２３６６号公報
【発明の開示】
【発明が解決しようとする課題】
【０００５】
しかし、必要な電源容量にマージンを加えた電源を搭載した場合、電源のサイズが大きくなり、コストも増大するという問題があった。
【０００６】
また特許文献１の技術をリライタブルプリンタに適用した場合、印字率により印字速度を変更するため、速度切り替えのために低速から高速領域で使用できるモータを選定する必要がある。また、低速から高速領域で適切に発色し、適切に消色する可逆性感熱記録媒体が必要である。よって、一定速度での使用を想定しているモータや一定速度領域での発色、消色を想定している可逆性感熱記録媒体を使用する場合と比較してコストが増大するという問題があった。
【０００７】
また特許文献２の技術をリライタブルプリンタに適用した場合、印字率により電源を切り替えるには電源を複数個用意しなければならないため、コストが増大するという問題があった。
【０００８】
本発明は、最大消費電力を小さくすることができ、装置サイズを小さく、コストを低くすることができる、プリンタ装置およびプリント方法を提供することを目的とする。
【課題を解決するための手段】
【０００９】
熱を可逆性感熱記録媒体に印加することによって、前記可逆性感熱記録媒体に転写された文字の消去処理を実施する消去手段と、熱を前記可逆性感熱記録媒体に印加することによって、前記可逆性感熱記録媒体に文字を印字する印字処理を実施する印字手段と、前記印字処理と前記消去処理を同時に実施する同時処理と、前記印字処理と前期消去処理を順に実施する順次処理とを、印字率に応じて選択する制御手段と、を備えたことを特徴とするプリンタ装置である。
【００１０】
また、熱を可逆性感熱記録媒体に印加することによって、前記可逆性感熱記録媒体に転写された文字を消去する消去ステップと、熱を前記可逆性感熱記録媒体に印加することによって、前記可逆性感熱記録媒体に文字を印字する印字ステップと、前記印字ステップと前記消去ステップを同時に実施する同時処理と、前記印字ステップと前記消去ステップを順に実施する順次処理とを印字率に応じて選択する制御ステップと、を備えたことを特徴とするプリント方法である。
【発明の効果】
【００１１】
本発明によれば、印字率が高く、印字処理で使用する電力が大きい際、消去処理と印字処理を順に実施することで、印字処理と消去処理とで必要な電力を順に供給することができ、最大消費電力を小さくすることが可能となる。
【発明を実施するための最良の形態】
【００１２】
以下、図面を参照し、本発明の実施形態を説明する。図１は本発明の一実施形態によるリライタブルプリンタ装置の構成を示している。
【００１３】
記録媒体１−１，１−２，１−３は、熱により繰り返し印字処理、消去処理を実施することが可能な可逆性感熱記録媒体である。消去部２は記録媒体１−１，１−２，１−３に転写された文字の消去処理を実施する消去手段である。消去部２には、消去用サーマルヘッド２−１と、プラテンローラ２−２と、搬送用モータ２−３が設けられている。また、印字部３は記録媒体１−１，１−２，１−３に文字を印字する印字処理を実施する印字手段である。印字部３には、印字用サーマルヘッド３−１と、プラテンローラ３−２と、搬送用モータ３−３が設けられている。また、データ保管部４は、印字部３が印字するデータを保管する保管手段である。また、制御部５は印字部３で印字処理を実施するデータから印字率を算出し、印字処理と消去処理を同時に実施する同時処理と、印字処理と消去処理を順に実施する順次処理とを、印字率に応じて選択する制御手段である。また、処理を順に実施するとは、前の処理が終了後、次の処理を実施する事である。搬送路６は記録媒体１−１，１−２，１−３の搬送路である。また、搬送方向Ｐは記録媒体１−１，１−２，１−３の搬送方向を示している。
【００１４】
次に、本実施形態における記録媒体の消去処理、印字処理の方法を説明する。例として、連続して３枚の記録媒体１−１,１−２,１−３に印字する場合について説明する。図２は記録媒体の消去処理、印字処理の手順を示しており、適宜、図２を参照して説明を行う。
【００１５】
まず、データ保管部４は１枚目の記録媒体１−１に印字する印字データを制御部５に転送する（ステップＳ２０１）。制御部５は印字データを基に１枚目の記録媒体１−１に印字する印字率を演算する（ステップＳ２０２）。制御部５はステップＳ２０２で演算した印字率がしきい値以上であるか否か判定する（ステップＳ２０３）。ここで印字率がしきい値以上であれば、１枚目の文字の印字を行った後に２枚目の文字の消去を行う順次処理を実施するため、ステップＳ２０４へ進む。また、印字率がしきい値未満であれば、１枚目の文字の印字と２枚目の文字の消去を同時に行う同時処理を実施するため、ステップＳ２１５へ進む。
【００１６】
ステップＳ２０３にて、印字率がしきい値以上の場合、消去部２は１枚目の記録媒体１−１に印字されている文字を消去する（ステップＳ２０４）。続いて、印字部３は１枚目の記録媒体１−１に文字を印字する。同時に、データ保管部４は２枚目の記録媒体１−２に印字する印字データを制御部５に転送する（ステップＳ２０５）。制御部５は転送された印字データを基に２枚目の記録媒体１−２に印字する印字率を演算する（ステップＳ２０６）。続いて、制御部５はステップＳ２０６で演算した印字率がしきい値以上であるか否か判定する（ステップＳ２０７）。ここで印字率がしきい値以上であれば、２枚目の文字の印字を行った後に３枚目の文字の消去を行う順次処理を実施するため、ステップＳ２０８へ進む。また、印字率がしきい値未満であれば、２枚目の文字の印字と３枚目の文字の消去を同時に行う同時処理を実施するため、ステップＳ２１２へ進む。
【００１７】
ステップＳ２０７にて、印字率がしきい値以上の場合、消去部２は２枚目の記録媒体１−２に印字されている文字を消去する（ステップＳ２０８）。続いて、印字部３は２枚目の記録媒体１−２に文字を印字する。同時に、データ保管部４は制御部５に３枚目の記録媒体１−３に印字する印字データを転送する（ステップＳ２０９）。続いて、消去部２は３枚目の記録媒体１−３に印字されている文字を消去する（ステップＳ２１０）。続いて、印字部３にて３枚目の記録媒体１−３に文字を印字する（ステップＳ２１１）。以上で３枚の印字が終了となる。
【００１８】
また、ステップＳ２０７で判定した２枚目の記録媒体１−２に印字する印字率がしきい値未満の場合、消去部２は２枚目の記録媒体１−２に印字されている文字を消去する（ステップＳ２１２）。続いて、印字部３は２枚目の記録媒体１−２に文字を印字する。同時に、消去部２は３枚目の記録媒体１−３に印字されている文字を消去する。同時に、データ保管部４は制御部５に３枚目の記録媒体１−３に印字する印字データを転送する（ステップＳ２１３）。続いて、印字部３は３枚目の記録媒体１−３に文字を印字する（ステップＳ２１４）。以上で３枚の印字が終了となる。
【００１９】
また、ステップＳ２０３で判定した１枚目の記録媒体１−１に印字する印字率がしきい値未満の場合、消去部２は１枚目の記録媒体１−１に印字されている文字を消去する（ステップＳ２１５）。続いて、印字部３は１枚目の記録媒体１−１に文字を印字し、同時に消去部２は２枚目の記録媒体１−２に印字されている文字を消去する。同時に、データ保管部４は２枚目の記録媒体１−２に印字する印字データを制御部５に転送する（ステップＳ２１６）。制御部５は２枚目の記録媒体１−２に印字する印字データを基に印字率を演算する（ステップＳ２１７）。制御部５はステップＳ２１７で演算した印字率がしきい値以上であるか否か判定する（ステップＳ２１８）。ここで印字率がしきい値以上であれば、２枚目の文字の印字を行った後に３枚目の文字の消去を行う順次処理を実施するため、ステップＳ２１９へ進む。また、印字率がしきい値未満であれば、２枚目の文字の印字と３枚目の文字の消去を同時に行う同時処理を実施するため、ステップＳ２２３へ進む。
【００２０】
続いて、印字率がしきい値以上の場合、印字部３は２枚目の記録媒体１−２に文字を印字する。同時にデータ保管部４は３枚目の記録媒体１−３に印字する印字データを制御部５に転送する（ステップＳ２１９）。続いて、消去部２は３枚目の記録媒体１−３に印字されている文字を消去する（ステップＳ２２０）。続いて、印字部３にて３枚目の記録媒体１−３に文字を印字する（ステップＳ２２１）。以上で３枚の印字が終了となる。
【００２１】
また、ステップＳ２１８で判定した２枚目の記録媒体１−２に印字する印字率がしきい値未満の場合、印字部３は２枚目の記録媒体１−２に文字を印字する。同時に、消去部２は３枚目の記録媒体１−３に印字されている文字を消去する。同時にデータ保管部４は３枚目の記録媒体１−３に印字する印字データを制御部５に転送する（ステップＳ２２２）。続いて、印字部３は３枚目の記録媒体１−３に文字を印字する（ステップＳ２２３）。以上で３枚の印字が終了となる。
【００２２】
上述したように、本実施形態によれば、印字部３で印字する印字率が高く、印字部３で使用する電力が多い場合、消去部２での文字の消去と印字部３での文字の印字を順に実施することによって、最大消費電力を小さくすることが可能となる。また、最大消費電力を小さくすることによって、電源を小さくすることができ、コストを低くすることも可能となる。
【００２３】
以上、この発明の実施形態について図面を参照して詳述してきたが、具体的な構成、方法はこの実施形態に限られるものではなく、この発明の要旨を逸脱しない範囲の設計、方法等も含まれる。
【図面の簡単な説明】
【００２４】
【図１】本発明の実施形態によるリライタブルプリンタ装置の構成を示した構成図である。
【図２】本発明の実施形態による連続発行処理の流れを示したフローチャートである。
【符号の説明】
【００２５】
１−１〜１−３・・・記録媒体、２・・・消去部、２−１・・・消去用サーマルヘッド、２−２,３−２・・・プラテンローラ、２−３,３−３・・・搬送用モータ、３・・・印字部、３−１・・・印字用サーマルヘッド、４・・・データ保管部、５・・・制御部、６・・・搬送路
【図１】
2008221558.tif 000003
【図２】
2008221558.tif 000004